(57)【要約】【課題】  取り扱いが容易となり、使い勝手が向上する収容ボックスを提供する。【解決手段】  収容ボックス１１は、６枚の正方形形状のシート体２１ａ〜２６ａからなり、平面的に展開した状態ではその表面２８ａがＴの字形状を有し、その全周にファスナー５０を構成するエレメント５５ａ及び５５ｂが取付けられた展開シート２０ａと、展開シート２０ａに接続され、略直方体箱形状を有する機能部材６１としてのカバー６２とから構成される。エレメント５５ａ及び５５ｂは、スライダー５１によって始点５２から終点５３まで開閉自在であり、スライダー５１により一筆書きでファスナー５０を閉じることで、収容ボックス１１は略立方体形状に組み立てられ、折り畳んだカバー６２はその内部に収容される。よって、スライダー５１の操作によって、立体的な収容可能状態と平面的な展開状態とに切り替わるため、取り扱いが容易となり、使い勝手が向上する。【選択図】  図１
2016002336.tif 000002
【特許請求の範囲】
【請求項１】
立方体形状の収容ボックスであって、
組み立てた時略立方体となる、互いの辺同志で接続された６枚の正方形形状のシート体からなる展開シートと、
組み立てられた前記シート体の各々の辺が対向することによって形成される７つの一対の対向辺がスライダーにより開閉自在となるように、前記対向辺に取付けられたエレメントとを備え、
前記シート体は、前記７つの対向辺が前記スライダーによる開閉の始点から終点まで一筆書きとなるように配置される、収容ボックス。
【請求項２】
直方体形状の収容ボックスであって、
組み立てた時略直方体となる、互いの辺同志で接続された６枚の四角形形状のシート体からなる展開シートと、
組み立てられた前記シート体の各々の辺が対向することによって形成される７つの一対の対向辺がスライダーにより開閉自在となるように、前記対向辺に取付けられたエレメントとを備え、
前記シート体は、前記７つの対向辺が前記スライダーによる開閉の始点から終点まで一筆書きとなるように配置される、収容ボックス。
【請求項３】
前記展開シートは、組み立てた時外面を構成する表面と前記表面の反対面となる裏面とからなり、
前記裏面には、組み立てられた前記展開シートの内部に収容できる大きさに折り畳み自在の機能部材が接続される、請求項１又は請求項２記載の収容ボックス。
【発明の詳細な説明】
【技術分野】
【０００１】
この発明は収容ボックスに関し、特にキャリーバッグを覆うためのカバー等を収容するときに使用される収容ボックスに関するものである。
【背景技術】
【０００２】
図１３は、特許文献１で開示された従来のバッグ用カバーとキャリーバッグとを示す斜視図であり、図１４は、図１３で示したバッグ用カバーをキャリーバッグに取付けた状態を示す斜視図である。
【０００３】
これらの図を参照して、バッグ用カバー７１は、樹脂製のシート材によって形成され、下面が開放された略直方体箱形状を有する袋状のものである。バッグ用カバー７１の上面７８には、矩形形状を有する開口７４と、開口７４よりも外縁側に位置して角丸の矩形形状を有する開口７３とが形成されている。バッグ用カバー７１の側面７９には収納部７５が、側面８０には収納部７６が、それぞれポケット形状を有するように形成されている。
【０００４】
キャリーバッグ８１は、ポリカーボネートのような高剛性樹脂材で形成され、基部８９と蓋部９０とをヒンジ（図示せず）を介して取付けられ、略直方体箱形状を有する本体部８３と、本体部８３の下面に取付けられた転動自在なキャスター８４と、本体部８３の基部８９の上面で蓋部９０側に取付けられた取っ手８５と、本体部８３の基部８９の上面で蓋部９０とは反対側に取付けられ、２本の平行な伸縮自在のアーム部８７とそれら２本のアーム部８７をその先端で繋ぐ連結部８８とからなる引き手８６とから構成される。
【０００５】
取付に際して、図１３を参照して、一点鎖線で示したようにバッグ用カバー７１を、キャリーバッグ８１の上方から被せて、キャリーバッグ８１に取付ける。このとき、キャリーバッグ８１の引き手８６をバッグ用カバー７１の開口７３に、キャリーバッグ８１の取っ手８５をバッグ用カバー７１の開口７４に、それぞれ挿通させて取付ける。
【０００６】
使用に際して、図１４を参照して、バッグ用カバー７１が取付けられたキャリーバッグ８１は、本体部８３の下面を除く外方面をバッグ用カバー７１が覆っている。これによって、バッグ用カバー７１は、キャリーバッグ８１を雨等から守る防水機能や、外方からの衝撃による損傷防止機能を発揮することになる。
【０００７】
又、バッグ用カバー７１の収納部７５及び収納部７６は、ポケット形状を有しているので、書類や飲み物等の小物８２をその内部に収納することができる。
【０００８】
更に、キャリーバッグ８１の取っ手８５は、バッグ用カバー７１の開口７４を介して露出している。よって、キャリーバッグ８１の取っ手８５を持って、キャリーバッグ８１を持ち運びすることができる。
【０００９】
更に、キャリーバッグ８１の引き手８６は、バッグ用カバー７１の開口７３を介して露出している。又、キャリーバッグ８１のキャスター８４は、バッグ用カバー７１の開放された下面から露出している。よって、キャリーバッグ８１の引き手８６を持ってキャリーバッグ８１を持ち運びしたり、引き手８６を引き、キャスター８４を転動させることでキャリーバッグ８１を移動させたりすることができる。
【先行技術文献】
【特許文献】
【００１０】
【特許文献１】実用新案登録第３１８５２７１号公報
【発明の概要】
【発明が解決しようとする課題】
【００１１】
上記のような従来のバッグ用カバーは、使用しないときには折り畳んで、収容ボックス（図示せず）の内部に入れて収容していた。この収容ボックスは、例えば立方体のような立体形状を有するものであるため、バッグ用カバーをその内部に入れて収容していないとき（バッグ用カバーをキャリーバッグに取付けて使用しているとき）には、立体形状の保管場所を確保しておく必要があり、取り扱いが良いものではなかった。又、収容ボックスは、バッグ用カバーとは別途形成されたものであるので、紛失する虞があった。
【００１２】
この発明は、上記のような課題を解決するためになされたもので、取り扱いが容易となり、使い勝手が向上する収容ボックスを提供することを目的とする。
【課題を解決するための手段】
【００１３】
上記の目的を達成するために、請求項１記載の発明は、立方体形状の収容ボックスであって、組み立てた時略立方体となる、互いの辺同志で接続された６枚の正方形形状のシート体からなる展開シートと、組み立てられたシート体の各々の辺が対向することによって形成される７つの一対の対向辺がスライダーにより開閉自在となるように、対向辺に取付けられたエレメントとを備え、シート体は、７つの対向辺がスライダーによる開閉の始点から終点まで一筆書きとなるように配置されるものである。
【００１４】
このように構成すると、スライダーの操作により、立体的な収容可能状態と平面的な展開状態とに切り替わる。
【００１５】
請求項２記載の発明は、直方体形状の収容ボックスであって、組み立てた時略直方体となる、互いの辺同志で接続された６枚の四角形形状のシート体からなる展開シートと、組み立てられたシート体の各々の辺が対向することによって形成される７つの一対の対向辺がスライダーにより開閉自在となるように、対向辺に取付けられたエレメントとを備え、シート体は、７つの対向辺がスライダーによる開閉の始点から終点まで一筆書きとなるように配置されるものである。
【００１６】
このように構成すると、スライダーの操作により、立体的な収容可能状態と平面的な展開状態とに切り替わる。
【００１７】
請求項３記載の発明は、請求項１又は請求項２記載の発明の構成において、展開シートは、組み立てた時外面を構成する表面と表面の反対面となる裏面とからなり、裏面には、組み立てられた展開シートの内部に収容できる大きさに折り畳み自在の機能部材が接続されるものである。
【００１８】
このように構成すると、機能部材の使用時には展開シートはその一部になり、不使用時の機能部材は組み立てられた展開シートに収容される。
【発明の効果】
【００１９】
以上説明したように、請求項１記載の発明は、スライダーの操作により、立体的な収容可能状態と平面的な展開状態とに切り替わるため、取り扱いが容易となり、使い勝手が向上する。
【００２０】
請求項２記載の発明は、スライダーの操作により、立体的な収容可能状態と平面的な展開状態とに切り替わるため、取り扱いが容易となり、使い勝手が向上する。
【００２１】
請求項３記載の発明は、請求項１又は請求項２記載の発明の効果に加えて、機能部材の使用時には展開シートはその一部になり、不使用時の機能部材は組み立てられた展開シートに収容されるため、展開シートを紛失する虞はなく機能部材の使用勝手が向上する。
【図面の簡単な説明】
【００２２】
【図１】この発明の第１の実施の形態による収容ボックスを平面的に展開した状態を示す概略正面図である。
【図２】図１で示した収容ボックスをキャリーバッグに取付けた状態を示す概略斜視図である。
【図３】図１で示した収容ボックスを収容可能状態にするときにファスナーが開いた状態を示す上方から見た概略斜視図である。
【図４】図３で示した状態の収容ボックスを下方から見た概略斜視図である。
【図５】図１で示した収容ボックスを収容可能状態にしたときにファスナーが閉じた状態を示す上方から見た概略斜視図である。
【図６】図５で示した状態の収容ボックスを下方から見た概略斜視図である。
【図７】この発明の第２の実施の形態による収容ボックスを平面的に展開した状態を示す概略正面図であって、図１に対応した図である。
【図８】図７で示した収容ボックスを収容可能状態にしたときにファスナーが閉じた状態を示す上方から見た概略斜視図であって、図５に対応した図である。
【図９】図８で示した状態の収容ボックスを下方から見た概略斜視図であって、図６に対応した図である。
【図１０】この発明の第３の実施の形態による収容ボックスを平面的に展開した状態を示す概略正面図であって、図１に対応した図である。
【図１１】図１０で示した収容ボックスを収容可能状態にしたときにファスナーが閉じた状態を示す上方から見た概略斜視図であって、図５に対応した図である。
【図１２】図１１で示した状態の収容ボックスを下方から見た概略斜視図であって、図６に対応した図である。
【図１３】特許文献１で開示された従来のバッグ用カバーとキャリーバッグとを示す斜視図である。
【図１４】図１３で示したバッグ用カバーをキャリーバッグに取付けた状態を示す斜視図である。
【発明を実施するための形態】
【００２３】
図１は、この発明の第１の実施の形態による収容ボックスを平面的に展開した状態を示す概略正面図であり、図２は、図１で示した収容ボックスをキャリーバッグに取付けた状態を示す概略斜視図である。
【００２４】
尚、このキャリーバッグは、図１３及び図１４で示した従来のキャリーバッグ８１と同一であるため、ここでの説明は繰り返さない。
【００２５】
これらの図を参照して、収容ボックス１１は、折り畳み自在のシート材料よりなり、後述するように組み立てた時略立方体となり、平面的に展開した状態ではその表面２８ａがＴの字形状を有し、その全周にファスナー５０を構成するエレメント５５が取付けられた展開シート２０ａと、展開シート２０ａの表面２８ａの反対面となる裏面２９ａ（図示せず）に接続され、略直方体箱形状を有する機能部材６１としてのカバー６２とから構成される。
【００２６】
収容ボックス１１のカバー６２は、キャリーバッグ８１を覆うために使用されるものである。又、収容ボックス１１のカバー６２を使用しないときには折り畳み、後述するように立方体に組み立てた収容ボックス１１の内部に、カバー６２を収容できるものである。
【００２７】
図１を参照して、展開シート２０ａは、互いの辺３１〜３５同士で接続された６枚の正方形形状のシート体２１ａ〜２６ａから構成される。シート体２１ａとシート体２５ａとは、辺３１で接続されている。シート体２５ａとシート体２６ａとは、辺３１の対向位置にある辺３５で接続されている。シート体２５ａとシート体２４ａとは、辺３２で接続されている。シート体２４ａとシート体２２ａとは、辺３２の対向位置にある辺３３で接続されている。シート体２２ａとシート体２３ａとは、辺３３の対向位置にある辺３４で接続されている。これにより、展開シート２０ａは、Ｔの字形状を有しており、辺３１〜３５で折り曲げることができるように形成されている。このように構成した理由については、後述する。
【００２８】
ファスナー５０は、展開シート２０ａの全周に図示しないエレメント用テープを介して取付けられたエレメント５５ａ及び５５ｂと、辺３２と辺３５とが交わる点に形成された始点５２と、辺３２と辺３１とが交わる点に形成された終点５３と、エレメント５５ａとエレメント５５ｂとを開閉自在とするスライダー５１とから構成される。
【００２９】
エレメント５５ａは、始点５２を含むシート体２６ａの対向辺１ａと、対向辺１ａに隣接するシート体２６ａの対向辺２ａと、対向辺２ａに隣接するシート体２６ａの対向辺３ａと、対向辺３ａに隣接するシート体２５ａの対向辺４ａと、対向辺４ａに隣接するシート体２１ａの対向辺５ａと、対向辺５ａに隣接するシート体２１ａの対向辺６ａと、対向辺６ａに隣接して終点５３を含むシート体２１ａの対向辺７ａとに連続して、始点５２から終点５３まで取付けられている。
【００３０】
エレメント５５ｂは、始点５２を含むシート体２４ａの対向辺１ｂと、対向辺１ｂに隣接するシート体２２ａの対向辺２ｂと、対向辺２ｂに隣接するシート体２３ａの対向辺３ｂと、対向辺３ｂに隣接するシート体２３ａの対向辺４ｂと、対向辺４ｂに隣接するシート体２３ａの対向辺５ｂと、対向辺５ｂに隣接するシート体２２ａの対向辺６ｂと、対向辺６ｂに隣接して終点５３を含むシート体２４ａの対向辺７ｂとに連続して、始点５２から終点５３まで取付けられている。このように構成した理由については、後述する。
【００３１】
図２を参照して、カバー６２は、下面が開放された略直方体箱形状を有して、折り畳み自在に形成された袋状のものである。カバー６２の上面には、矩形形状を有する開口６４と、開口６４よりも外縁側に位置して矩形形状を有する開口６３とが形成されている。
【００３２】
取付に際して、図２で示した実線の矢印の方向へ、カバー６２を、キャリーバッグ８１の上方から被せて、キャリーバッグ８１に取付ける。このとき、キャリーバッグ８１の引き手８６をカバー６２の開口６３に、キャリーバッグ８１の取っ手８５をカバー６２の開口６４に、それぞれ挿通させて取付ける。
【００３３】
使用に際して、キャリーバッグ８１に取付けられたカバー６２は、従来のバッグ用カバー７１と同様に、キャリーバッグ８１を雨等から守る防水機能や、外方からの衝撃による損傷防止機能を発揮する。又、開口６４を介して露出した取っ手８５や、開口６３を介して露出した引き手８６を持って、キャリーバッグ８１を持ち運んだり、移動させたりすることができる。
【００３４】
更に、この使用状態において、収容ボックス１１の展開シート２０ａは、カバー６２と接続されて、カバー６２の一部となっているので、展開シート２０ａを紛失する虞はない。
【００３５】
更に、収容ボックス１１の展開シート２０ａは、カバー６２の側面に平面的にＴの字形状で露出しているので、装飾の役割も果たしている。尚、収容ボックス１１のカバー６２及び展開シート２０ａには、その他の装飾を施してあっても良い。又、収容ボックス１１のカバー６２には、ポケット等の収納部や、キャリーバッグ８１に取付け易くする面ファスナー等が形成されてあっても良い。
【００３６】
次に、収容ボックス１１の平面的な展開状態から立体的な収容可能状態への組み立てについて説明する。
【００３７】
図３は、図１で示した収容ボックスを収容可能状態にするときにファスナーが開いた状態を示す上方から見た概略斜視図であり、図４は、図３で示した状態の収容ボックスを下方から見た概略斜視図である。
【００３８】
これらの図を参照して、この状態の収容ボックス１１は、図１で示した平面的な展開状態から、まずカバー６２を折り畳み、カバー６２を包み込むようにして、辺３１〜３５の各々を山折りにして、展開シート２０ａを略立方体形状にしたものである。尚、カバー６２は、略立方体形状に展開シート２０ａを組み立てたときに、展開シート２０ａの内部に折り畳んで収容できる大きさに形成されている。
【００３９】
このとき、シート体２６ａの対向辺１ａとシート体２４ａの対向辺１ｂとは、一対で対向する位置関係にあり、それぞれに取付けられたエレメント５５ａとエレメント５５ｂとはスライダー５１により開閉自在となるものである。他の６つの一対となる対向辺に対しても、各々同様の関係にある。具体的には、シート体２６ａの対向辺２ａとシート体２２ａの対向辺２ｂ、シート体２６ａの対向辺３ａとシート体２３ａの対向辺３ｂ、シート体２５ａの対向辺４ａとシート体２３ａの対向辺４ｂ、シート体２１ａの対向辺５ａとシート体２３ａの対向辺５ｂ、シート体２１ａの対向辺６ａとシート体２２ａの対向辺６ｂ、シート体２１ａの対向辺７ａとシート体２４ａの対向辺７ｂである。
【００４０】
組立に際して、収容ボックス１１のスライダー５１を、実線の矢印で示した順に、始点５２から、対向辺１ａ，１ｂを経て、対向辺２ａ，２ｂ、対向辺３ａ，３ｂ、対向辺４ａ，４ｂ、対向辺５ａ，５ｂ、対向辺６ａ，６ｂ、対向辺７ａ，７ｂ、終点５３まで連続して移動させることで、ファスナー５０（エレメント５５ａ及び５５ｂ）を閉じることができる。これにより、収容ボックス１１は、略立方体形状に組み立てられることになる。
【００４１】
ここで、組み立てた略立方体形状を有する収容ボックス１１について説明する。
【００４２】
図５は、図１で示した収容ボックスを収容可能状態にしたときにファスナーが閉じた状態を示す上方から見た概略斜視図であり、図６は、図５で示した状態の収容ボックスを下方から見た概略斜視図である。
【００４３】
これらの図を参照して、収容ボックス１１は、略立方体形状に組み立てられ、ファスナー５０を構成するエレメント５５の各々は閉じられ、収容ボックス１１の外面は展開シート２０ａの表面２８ａで構成され、収容ボックス１１は収容可能状態である。このとき、収容ボックス１１の内部には、機能部材６１として使用されていないカバー６２（図示せず）が折り畳んだ状態で収容され、カバー６２の使用勝手が向上したものになっている。
【００４４】
展開に際して、この立体的な収容可能状態から図１で示した平面的な展開状態へと戻すには、収容ボックス１１のスライダー５１を、図２及び図３で示した実線の矢印とは反対方向へ順に、終点５３から、対向辺７ａ，７ｂを経て、対向辺６ａ，６ｂ、対向辺５ａ，５ｂ、対向辺４ａ，４ｂ、対向辺３ａ，３ｂ、対向辺２ａ，２ｂ、対向辺１ａ，１ｂ、始点５２まで連続して移動させることで、ファスナー５０（エレメント５５）を開くことができる。これにより、収容ボックス１１は、平面的な展開状態に戻せる。
【００４５】
このように、エレメント５５の各々は、各々の対向辺１ａ，１ｂ〜７ａ，７ｂに連続して取付けられているので、スライダー５１を始点５２から終点５３まで一筆書きで開閉することが可能となっている。このように構成することにより、スライダー５１の操作によって、立体的な収容可能状態と平面的な展開状態とに収容ボックス１１を切り替えることができ、取り扱いが容易となると共に、使い勝手が向上する。
【００４６】
図７は、この発明の第２の実施の形態による収容ボックスを平面的に展開した状態を示す概略正面図であって、図１に対応した図であり、図８は、図７で示した収容ボックスを収容可能状態にしたときにファスナーが閉じた状態を示す上方から見た概略斜視図であって、図５に対応した図であり、図９は、図８で示した状態の収容ボックスを下方から見た概略斜視図であって、図６に対応した図である。
【００４７】
尚、この第２の実施の形態による収容ボックス１２は、図１で示した第１の実施の形態による収容ボックス１１と基本的な構成は同一であり、シート体２６ｂの配置を変更したものである。ここでは、その相違点を中心に説明する。
【００４８】
これらの図を参照して、収容ボックス１２の展開シート２０ｂを構成するシート体２６ｂは、シート体２３ｂと辺３６（図１の対向辺３ｂ）で接続する位置に変更したものである。すなわち、図１を参照して、第１の実施の形態のシート体２６ａの位置を、シート体２５ａと辺３５で接続する位置から、シート体２３ａと対向辺３ｂで接続する位置に変更したものである。
【００４９】
この配置変更に伴い、図７を参照して、シート体２２ｂにおける対向辺６ｂの対向位置を対向辺１ａに、シート体２４ｂにおける対向辺７ｂの対向位置を対向辺２ａに、シート体２５ｂにおける辺３１の対向位置を対向辺３ａに、対向辺１ａと隣接するシート体２６ｂの隣接位置を対向辺１ｂに、シート体２６ｂにおける対向辺１ｂの隣接位置を対向辺２ｂに、シート体２６ｂにおける対向辺２ｂの隣接位置を対向辺３ｂに、対向辺１ａと対向
辺１ｂとが交わる点を始点５２に、それぞれ変更した。これにより、展開シート２０ｂは、平面的に展開した状態で、Ｚの字を反転させた形状を有する。
【００５０】
図８及び図９を参照して、収容ボックス１２は、図１で示した収容ボックス１１と同様に略立方体形状の外観に組み立てられ、収容可能状態にある。収容ボックス１２の対向辺１ａ，１ｂ〜３ａ，３ｂは、図１で示した収容ボックス１１とは異なる位置に形成されているので、スライダー５１による一筆書きの通り道が変わり、収容ボックス１１とは展開の仕方が異なる。
【００５１】
図１０は、この発明の第３の実施の形態による収容ボックスを平面的に展開した状態を示す概略正面図であって、図１に対応した図であり、図１１は、図１０で示した収容ボックスを収容可能状態にしたときにファスナーが閉じた状態を示す上方から見た概略斜視図であって、図５に対応した図であり、図１２は、図１１で示した状態の収容ボックスを下方から見た概略斜視図であって、図６に対応した図である。
【００５２】
尚、この第３の実施の形態による収容ボックス１３は、図１で示した第１の実施の形態による収容ボックス１１と基本的な構成は同一であり、シート体２３ｃ及びシート体２６ｃの配置を変更したものである。ここでは、その相違点を中心に説明する。
【００５３】
これらの図を参照して、収容ボックス１３の展開シート２０ｃを構成するシート体２３ｃは、シート体２１ｃと辺３７（図１の対向辺５ａ）で接続する位置に変更したものである。すなわち、図１を参照して、第１の実施の形態のシート体２３ａの位置を、シート体２２ａと辺３４で接続する位置から、シート体２１ａと対向辺５ａで接続する位置に変更したものである。
【００５４】
又、収容ボックス１３の展開シート２０ｃを構成するシート体２６ｃは、シート体２３ｃと辺３８で接続する位置に変更したものである。すなわち、図１を参照して、第１の実施の形態のシート体２６ａの位置を、シート体２５ａと辺３５で接続する位置から、位置変更したものである。
【００５５】
この配置変更に伴い、図１０を参照して、辺３７と隣接するシート体２３ｃの隣接位置を対向辺１ａに、対向辺１ａと隣接するシート体２６ｃの隣接位置を対向辺２ａに、対向辺２ａと隣接するシート体２６ｃの隣接位置を対向辺３ａに、対向辺３ａと隣接するシート体２６ｃの隣接位置を対向辺４ａに、対向辺４ａと隣接するシート体２３ｃの隣接位置を対向辺５ａに、対向辺１ａと隣接するシート体２５ｃの隣接位置を対向辺１ｂに、対向辺１ｂと隣接するシート体２５ｃの隣接位置を対向辺２ｂに、対向辺２ｂと隣接するシート体２４ｃの隣接位置を対向辺３ｂに、対向辺３ｂと隣接するシート体２２ｃの隣接位置を対向辺４ｂに、対向辺４ｂと隣接するシート体２２ｃの隣接位置を対向辺５ｂに、対向辺１ａと対向辺１ｂとが交わる点を始点５２に、それぞれ変更した。これにより、展開シート２０ｃは、平面的に展開した状態で、Ｚの字を９０度回転させた形状を有する。
【００５６】
図１１及び図１２を参照して、収容ボックス１３は、図１で示した収容ボックス１１と同様に略立方体形状の外観に組み立てられ、収容可能状態にある。収容ボックス１３の対向辺１ａ，１ｂ〜５ａ，５ｂは、図１で示した収容ボックス１１とは異なる位置に形成されているので、スライダー５１による一筆書きの通り道が変わり、収容ボックス１１とは展開の仕方が異なる。
【００５７】
尚、上記の各実施の形態では、収容ボックスは、キャリーバッグを覆うためのカバーを収容するときに使用されるものであったが、他のものを収容する目的で使用されるものであっても良い。
【００５８】
又、上記の各実施の形態では、収容ボックスは、組み立てた時略立方体形状になるものであったが、組み立てた時略直方体形状となるものであっても良い。
【００５９】
更に、上記の各実施の形態では、エレメントは、スライドファスナーであったが、面ファスナーであっても良い。
【００６０】
更に、上記の各実施の形態では、スライダーは、一つのみであったが、例えば二つのスライダーを有するダブルファスナー形式のように開閉位置を自在としたり、開閉効率を向上させたりするために、二つ以上のスライダーを備えていても良い。
【００６１】
更に、上記の各実施の形態では、収容ボックスは、機能部材を一体的に有するものであったが、機能部材は無く、単なる収容機能を有するものであっても良い。
【００６２】
更に、上記の各実施の形態では、機能部材は、特定機能を有するカバーであったが、組み立てられた展開シートの内部に収容できる大きさに折り畳み自在であれば、それ以外の機能を有するものであっても良い。
【００６３】
更に、上記の各実施の形態では、展開シートは、機能部材と特定位置で接続されたものであったが、それ以外の位置で接続されていても良い。又は、機能部材と接続されていなくても良い。
【００６４】
更に、上記の各実施の形態では、始点と終点の位置は、特定位置に形成されたものであったが、始点と終点の位置を入れ替えて形成されたものであっても良い。
【００６５】
更に、上記の各実施の形態では、機能部材は、例えばポケットのような収納部は取付けられていなかったが、収納部が取付けられていても良い。又、展開シートが機能部材と接続されていない場合、機能部材を使用時には、その収納部に平面的な展開シートを収納しておいても良い。
【００６６】
更に、上記の各実施の形態では、展開シートは、平面的な展開状態で特定の形状を有するものであったが、組み立てた時略立方体となり、互いの辺同士で接続された６枚の正方形形状のシート体からなり、組み立てられたシート体の各々の辺が対向することによって形成される７つの一対の対向辺がスライダーにより開閉自在となるように対向辺に取付けられたエレメントを備えるものであり、シート体は７つの対向辺がスライダーによる開閉の始点から終点まで一筆書きとなるように配置されるものであれば、他の形状であっても良い。
【００６７】
更に、上記の各実施の形態では、展開シートは、平面的な展開状態で特定の形状を有するものであったが、組み立てた時略直方体となり、互いの辺同士で接続された６枚の四角形形状のシート体からなり、組み立てられたシート体の各々の辺が対向することによって形成される７つの一対の対向辺がスライダーにより開閉自在となるように対向辺に取付けられたエレメントを備えるものであり、シート体は７つの対向辺がスライダーによる開閉の始点から終点まで一筆書きとなるように配置されるものであれば、他の形状であっても良い。
【符号の説明】
【００６８】
１〜７…対向辺
１１〜１３…収容ボックス
２０…展開シート
２１〜２６…シート体
２８…表面
２９…裏面
３１〜３８…辺
５１…スライダー
５２…始点
５３…終点
５５…エレメント
６１…機能部材
尚、各図中同一符号は同一又は相当部分を示す。
【図１】
2016002336.tif 000003
【図２】
2016002336.tif 000004
【図３】
2016002336.tif 000005
【図４】
2016002336.tif 000006
【図５】
2016002336.tif 000007
【図６】
2016002336.tif 000008
【図７】
2016002336.tif 000009
【図８】
2016002336.tif 000010
【図９】
2016002336.tif 000011
【図１０】
2016002336.tif 000012
【図１１】
2016002336.tif 000013
【図１２】
2016002336.tif 000014
【図１３】
2016002336.tif 000015
【図１４】
2016002336.tif 000016